【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
情報を種別ごとに特徴付けるイメージ画像であるアイコンによって表わし、操作者による装置画面上におけるアイコンに対する各種の定められた指示により、該当する処理を情報に対しておこなうユーザ操作環境を有する情報処理装置において、
１つのアイコンを配置表示する矩形であるセルから構成されるアイコン配置欄と、アイコン配置欄の外部において情報を特徴付ける視点である項目毎に設けられ、その中に情報を特徴付けるデータ名を配置表示するデータ名欄とからなる表を階層的に関係付けた集合であって、階層最上位の表を除く集合内の各表が、集合内の別の表上の１つのセルに対する第１の特定指定によって表示される形で構成される階層表に保存配置されているアイコンの該当情報を検索出力する方法であって、
アイコン配置欄を構成する各セルについて位置情報を持つセルデータと、各データ名欄について項目との対応を表わす項目定義データと、各データ名についてコード情報と位置情報を持つ文字列データとを有する表データを、装置画面からの入力情報に基いて作成する表データ作成工程と、
表データを表の間の階層関係を表わす形で関係付けて管理する表データ記憶工程と、
表データに基づいて表を装置画面上に表示する表表示工程と、
表上の任意の１つのセルについて、該当の表にかかわる文字列データとセルデータと項目定義データとに基づいて、同セルと特定の位置関係にあるデータ名を表上の各データ名欄から識別した上、識別したデータ名と該当する項目とからなる対の集合を関連データとして識別する工程と、
階層表を構成する任意の表である第１の表上の任意のセルである第１のセルについて特定されるデータであって、該当階層表の最上位の表の表示から始まり、第１の表の表示に至るまで、順次、表示された全ての表上において上記第１の特定指示が与えられたセルについて識別される関連データの和をとった集合に、さらに、第１の表上において第１のセルについて識別される関連データを加えた和集合である全関連データを識別する工程と、
階層表を構成する各表上に配置されたアイコンの該当情報の中から所望の情報を取り出すための指定条件である検索条件を、項目と対応付けたデータ名を定めた方法によって組み合わせることによって指定する検索条件入力工程と、
１つの階層表である第１の階層表を構成する表上に該当のアイコンが保存配置されている情報であって、保存先のセルについて識別される全関連データが、検索条件入力手段を介して指定された検索条件と別に定めた包含関係にある情報を識別する工程と、
識別した情報のアイコンを検索出力手段上に定めた方法によって出力する工程と、
からなる情報処理装置における方法。
【請求項２】
請求項１において、検索条件の指定を第１の階層表とは別に設けられた第２の表を検索出力先として指定することによっておこなう方法であって、
第２の表上の任意のセルである第２のセルについて、
第１の階層表を構成する表上に該当のアイコンが保存配置されている情報であって、保存先のセルについて識別される全関連データが、第２のセルについて識別される関連データと別に定めた包含関係にある情報を識別し、識別した情報のアイコンを第２のセルに定めた方法によって出力する請求項１に記載の方法。
【請求項３】
情報を種別ごとに特徴付けるイメージ画像であるアイコンによって表わし、操作者による装置画面上におけるアイコンに対する各種の定められた指示により、該当する処理を情報に対しておこなうユーザ操作環境を有する情報処理装置であって、
１つのアイコンを配置表示する矩形であるセルから構成されるアイコン配置欄と、アイコン配置欄の外部において情報を特徴付ける視点である項目毎に設けられ、その中に情報を特徴付けるデータ名を配置表示するデータ名欄とからなる表を階層的に関係付けた集合であって、階層最上位の表を除く集合内の各表が、集合内の別の表上の１つのセルに対する第１の特定指定によって表示される形で構成される階層表に保存配置されているアイコンの該当情報を検索出力する装置として、
アイコン配置欄を構成する各セルについて位置情報を持つセルデータと、各データ名欄について項目との対応を表わす項目定義データと、各データ名についてコード情報と位置情報を持つ文字列データとを有する表データを、装置画面からの入力情報に基いて作成する表データ作成手段と、
表データを表の間の階層関係を表わす形で関係付けて管理する表データ記憶手段と、
表データに基づいて表を装置画面上に表示する表表示手段と、
表上の任意の１つのセルについて、該当の表にかかわる文字列データとセルデータと項目定義データとに基づいて、同セルと特定の位置関係にあるデータ名を表上の各データ名欄から識別した上、識別したデータ名と該当する項目とからなる対の集合を関連データとして識別する手段と、
階層表を構成する任意の表である第１の表上の任意のセルである第１のセルについて特定されるデータであって、該当階層表の最上位の表の表示から始まり、第１の表の表示に至るまで、順次、表示された全ての表上において上記第１の特定指示が与えられたセルについて識別される関連データの和をとった集合に、さらに、第１の表上において第１のセルについて識別される関連データを加えた和集合である全関連データを識別する手段と、
階層表を構成する各表上に配置されたアイコンの該当情報の中から所望の情報を取り出すための指定条件である検索条件を、項目と対応付けたデータ名を定めた方法によって組み合わせることによって指定する検索条件入力手段と、
１つの階層表である第１の階層表を構成する表上に該当のアイコンが保存配置されている情報であって、保存先のセルについて識別される全関連データが、検索条件入力手段を介して指定された検索条件と別に定めた包含関係にある情報を識別する手段と、
識別した情報のアイコンを検索出力手段上に定めた方法によって出力する手段と、
からなる情報処理装置。
【請求項４】
請求項３において、検索条件の指定を、第１の階層表とは別に設けられた第２の表を検索出力先として指定することによっておこなう情報処理装置であって、
第２の表上の任意のセルである第２のセルについて、
第１の階層表を構成する表上に該当のアイコンが保存配置されている情報であって、保存先のセルについて識別される全関連データが、第２のセルについて識別される関連データと別に定めた包含関係にある情報を識別し、識別した情報のアイコンを第２のセルに定めた方法によって出力する請求項３に記載の情報処理装置。
【請求項５】
情報を種別ごとに特徴付けるイメージ画像であるアイコンによって表わし、操作者による装置画面上におけるアイコンに対する各種の定められた指示により、該当する処理を情報に対しておこなうユーザ操作環境を有する情報処理装置において、
１つのアイコンを配置表示する矩形であるセルから構成されるアイコン配置欄と、アイコン配置欄の外部において情報を特徴付ける視点である項目毎に設けられ、その中に情報を特徴付けるデータ名を配置表示するデータ名欄とからなる表を階層的に関係付けた集合であって、階層最上位の表を除く集合内の各表が、集合内の別の表上の１つのセルに対する第１の特定指定によって表示される形で構成される階層表に保存配置されているアイコンの該当情報を検索出力する方法であって、
アイコン配置欄を構成する各セルについて位置情報を持つセルデータと、各データ名欄について項目との対応を表わす項目定義データと、各データ名についてコード情報と位置情報を持つ文字列データとを有する表データを、装置画面からの入力情報に基いて作成する表データ作成工程と、
表データを表の間の階層関係を表わす形で関係付けて管理する表データ記憶工程と、
表データに基づいて表を装置画面上に表示する表表示工程と、
表上の任意の１つのセルについて、該当の表にかかわる文字列データとセルデータと項目定義データとに基づいて、同セルと特定の位置関係にあるデータ名を表上の各データ名欄から識別した上、識別したデータ名と該当する項目とからなる対の集合を関連データとして識別する工程と、
階層表を構成する任意の表である第１の表上の任意のセルである第１のセルについて特定されるデータであって、該当階層表の最上位の表の表示から始まり、第１の表の表示に至るまで、順次、表示された全ての表上において上記第１の特定指示が与えられたセルについて識別される関連データの和をとった集合に、さらに、第１の表上において第１のセルについて識別される関連データを加えた和集合である全関連データを識別する工程と、
階層表を構成する各表上に配置されたアイコンの該当情報の中から所望の情報を取り出すための指定条件である検索条件を、項目と対応付けたデータ名を定めた方法によって組み合わせることによって指定する検索条件入力工程と、
１つの階層表である第１の階層表を構成する表上に該当のアイコンが保存配置されている情報であって、保存先のセルについて識別される全関連データが、検索条件入力手段を介して指定された検索条件と別に定めた包含関係にある情報を識別する工程と、
識別した情報のアイコンを検索出力手段上に定めた方法によって出力する工程と、
からなる情報処理装置における方法をコンピュータによって実現させるための制御プログラム。
【請求項６】
請求項５において、検索条件の指定を第１の階層表とは別に設けられた第２の表を検索出力先として指定することによっておこなう方法であって、
第２の表上の任意のセルである第２のセルについて、
第１の階層表を構成する表上に該当のアイコンが保存配置されている情報であって、保存先のセルについて識別される全関連データが、第２のセルについて識別される関連データと別に定めた包含関係にある情報を識別し、識別した情報のアイコンを第２のセルに定めた方法によって出力する方法をコンピュータによって実現させるための請求項５に記載の制御プログラム。
【請求項７】
情報を種別ごとに特徴付けるイメージ画像であるアイコンによって表わし、操作者による装置画面上におけるアイコンに対する各種の定められた指示により、該当する処理を情報に対しておこなうユーザ操作環境を有する情報処理装置において、
１つのアイコンを配置表示する矩形であるセルから構成されるアイコン配置欄と、アイコン配置欄の外部において情報を特徴付ける視点である項目毎に設けられ、その中に情報を特徴付けるデータ名を配置表示するデータ名欄とからなる表を階層的に関係付けた集合であって、階層最上位の表を除く集合内の各表が、集合内の別の表上の１つのセルに対する第１の特定指定によって表示される形で構成される階層表に保存配置されているアイコンの該当情報を検索出力する方法であって、
アイコン配置欄を構成する各セルについて位置情報を持つセルデータと、各データ名欄について項目との対応を表わす項目定義データと、各データ名についてコード情報と位置情報を持つ文字列データとを有する表データを、装置画面からの入力情報に基いて作成する表データ作成工程と、
表データを表の間の階層関係を表わす形で関係付けて管理する表データ記憶工程と、
表データに基づいて表を装置画面上に表示する表表示工程と、
表上の任意の１つのセルについて、該当の表にかかわる文字列データとセルデータと項目定義データとに基づいて、同セルと特定の位置関係にあるデータ名を表上の各データ名欄から識別した上、識別したデータ名と該当する項目とからなる対の集合を関連データとして識別する工程と、
階層表を構成する任意の表である第１の表上の任意のセルである第１のセルについて特定されるデータであって、該当階層表の最上位の表の表示から始まり、第１の表の表示に至るまで、順次、表示された全ての表上において上記第１の特定指示が与えられたセルについて識別される関連データの和をとった集合に、さらに、第１の表上において第１のセルについて識別される関連データを加えた和集合である全関連データを識別する工程と、
階層表を構成する各表上に配置されたアイコンの該当情報の中から所望の情報を取り出すための指定条件である検索条件を、項目と対応付けたデータ名を定めた方法によって組み合わせることによって指定する検索条件入力工程と、
１つの階層表である第１の階層表を構成する表上に該当のアイコンが保存配置されている情報であって、保存先のセルについて識別される全関連データが、検索条件入力手段を介して指定された検索条件と別に定めた包含関係にある情報を識別する工程と、
識別した情報のアイコンを検索出力手段上に定めた方法によって出力する工程と、
からなる情報処理装置における方法をコンピュータによって実現させるための制御プログラムを格納した記憶媒体。
【請求項８】
請求項７において、検索条件の指定を、第１の階層表とは別に設けられた第２の表を検索出力先として指定することによっておこなう方法であって、
第２の表上の任意のセルである第２のセルについて、
第１の階層表を構成する表上に該当のアイコンが保存配置されている情報であって、保存先のセルについて識別される全関連データが、第２のセルについて識別される関連データと別に定めた包含関係にある情報を識別し、識別した情報のアイコンを第２のセルに定めた方法によって出力する方法をコンピュータによって実現させるための制御プログラムを格納した請求項７に記載の記憶媒体。
【手続補正２】
【補正対象書類名】明細書
【補正対象項目名】００１９
【補正方法】変更
【補正の内容】
【００１９】
上記の目的を達成するために、請求項１に記載の発明による情報処理装置における方法は、情報を種別ごとに特徴付けるイメージ画像であるアイコンによって表わし、操作者による装置画面上におけるアイコンに対する各種の定められた指示により、該当する処理を情報に対しておこなうユーザ操作環境を有する情報処理装置において、
１つのアイコンを配置表示する矩形であるセルから構成されるアイコン配置欄と、アイコン配置欄の外部において情報を特徴付ける視点である項目毎に設けられ、その中に情報を特徴付けるデータ名を配置表示するデータ名欄とからなる表を階層的に関係付けた集合であって、階層最上位の表を除く集合内の各表が、集合内の別の表上の１つのセルに対する第１の特定指定によって表示される形で構成される階層表に保存配置されているアイコンの該当情報を検索出力する方法であって、
アイコン配置欄を構成する各セルについて位置情報を持つセルデータと、各データ名欄について項目との対応を表わす項目定義データと、各データ名についてコード情報と位置情報を持つ文字列データとを有する表データを、装置画面からの入力情報に基いて作成する表データ作成工程と、
表データを表の間の階層関係を表わす形で関係付けて管理する表データ記憶工程と、
表データに基づいて表を装置画面上に表示する表表示工程と、
表上の任意の１つのセルについて、該当の表にかかわる文字列データとセルデータと項目定義データとに基づいて、同セルと特定の位置関係にあるデータ名を表上の各データ名欄から識別した上、識別したデータ名と該当する項目とからなる対の集合を関連データとして識別する工程と、
階層表を構成する任意の表である第１の表上の任意のセルである第１のセルについて特定されるデータであって、該当階層表の最上位の表の表示から始まり、第１の表の表示に至るまで、順次、表示された全ての表上において上記第１の特定指示が与えられたセルについて識別される関連データの和をとった集合に、さらに、第１の表上において第１のセルについて識別される関連データを加えた和集合である全関連データを識別する工程と、
階層表を構成する各表上に配置されたアイコンの該当情報の中から所望の情報を取り出すための指定条件である検索条件を、項目と対応付けたデータ名を定めた方法によって組み合わせることによって指定する検索条件入力工程と、
１つの階層表である第１の階層表を構成する表上に該当のアイコンが保存配置されている情報であって、保存先のセルについて識別される全関連データが、検索条件入力手段を介して指定された検索条件と別に定めた包含関係にある情報を識別する工程と、
識別した情報のアイコンを検索出力手段上に定めた方法によって出力する工程と、
からなることを特徴とする。
【手続補正３】
【補正対象書類名】明細書
【補正対象項目名】００２０
【補正方法】変更
【補正の内容】
【００２０】
請求項２に記載の発明による情報処理装置における方法は、請求項１に記載の方法において、検索条件の指定を、第１の階層表とは別に設けられた第２の表を検索出力先として指定することによっておこなう方法であって、
第２の表上の任意のセルである第２のセルについて、
第１の階層表を構成する表上に該当のアイコンが保存配置されている情報であって、保存先のセルについて識別される全関連データが、第２のセルについて識別される関連データと別に定めた包含関係にある情報を識別し、識別した情報のアイコンを第２のセルに定めた方法によって出力することを特徴とする。
【手続補正４】
【補正対象書類名】明細書
【補正対象項目名】００２１
【補正方法】変更
【補正の内容】
【００２１】
上記の目的を達成するために、請求項３に記載の発明による情報処理装置は、情報を種別ごとに特徴付けるイメージ画像であるアイコンによって表わし、操作者による装置画面上におけるアイコンに対する各種の定められた指示により、該当する処理を情報に対しておこなうユーザ操作環境を有する情報処理装置であって、
１つのアイコンを配置表示する矩形であるセルから構成されるアイコン配置欄と、アイコン配置欄の外部において情報を特徴付ける視点である項目毎に設けられ、その中に情報を特徴付けるデータ名を配置表示するデータ名欄とからなる表を階層的に関係付けた集合であって、階層最上位の表を除く集合内の各表が、集合内の別の表上の１つのセルに対する第１の特定指定によって表示される形で構成される階層表に保存配置されているアイコンの該当情報を検索出力する装置として、
アイコン配置欄を構成する各セルについて位置情報を持つセルデータと、各データ名欄について項目との対応を表わす項目定義データと、各データ名についてコード情報と位置情報を持つ文字列データとを有する表データを、装置画面からの入力情報に基いて作成する表データ作成手段と、
表データを表の間の階層関係を表わす形で関係付けて管理する表データ記憶手段と、
表データに基づいて表を装置画面上に表示する表表示手段と、
表上の任意の１つのセルについて、該当の表にかかわる文字列データとセルデータと項目定義データとに基づいて、同セルと特定の位置関係にあるデータ名を表上の各データ名欄から識別した上、識別したデータ名と該当する項目とからなる対の集合を関連データとして識別する手段と、
階層表を構成する任意の表である第１の表上の任意のセルである第１のセルについて特定されるデータであって、該当階層表の最上位の表の表示から始まり、第１の表の表示に至るまで、順次、表示された全ての表上において上記第１の特定指示が与えられたセルについて識別される関連データの和をとった集合に、さらに、第１の表上において第１のセルについて識別される関連データを加えた和集合である全関連データを識別する手段と、
階層表を構成する各表上に配置されたアイコンの該当情報の中から所望の情報を取り出すための指定条件である検索条件を、項目と対応付けたデータ名を定めた方法によって組み合わせることによって指定する検索条件入力手段と、
１つの階層表である第１の階層表を構成する表上に該当のアイコンが保存配置されている情報であって、保存先のセルについて識別される全関連データが、検索条件入力手段を介して指定された検索条件と別に定めた包含関係にある情報を識別する手段と、
識別した情報のアイコンを検索出力手段上に定めた方法によって出力する手段と、
からなることを特徴とする。
【手続補正５】
【補正対象書類名】明細書
【補正対象項目名】００２２
【補正方法】変更
【補正の内容】
【００２２】
請求項４に記載の発明による情報処理装置は、請求項３において、検索条件の指定を、第１の階層表とは別に設けられた第２の表を検索出力先として指定することによっておこなう情報処理装置であって、
第２の表上の任意のセルである第２のセルについて、
第１の階層表を構成する表上に該当のアイコンが保存配置されている情報であって、保存先のセルについて識別される全関連データが、第２のセルについて識別される関連データと別に定めた包含関係にある情報を識別し、識別した情報のアイコンを第２のセルに定めた方法によって出力することを特徴とする。
【手続補正６】
【補正対象書類名】明細書
【補正対象項目名】００２３
【補正方法】変更
【補正の内容】
【００２３】
上記の目的を達成するために、請求項５に記載の発明による制御プログラムは、情報を種別ごとに特徴付けるイメージ画像であるアイコンによって表わし、操作者による装置画面上におけるアイコンに対する各種の定められた指示により、該当する処理を情報に対しておこなうユーザ操作環境を有する情報処理装置において、
１つのアイコンを配置表示する矩形であるセルから構成されるアイコン配置欄と、アイコン配置欄の外部において情報を特徴付ける視点である項目毎に設けられ、その中に情報を特徴付けるデータ名を配置表示するデータ名欄とからなる表を階層的に関係付けた集合であって、階層最上位の表を除く集合内の各表が、集合内の別の表上の１つのセルに対する第１の特定指定によって表示される形で構成される階層表に保存配置されているアイコンの該当情報を検索出力する方法であって、
アイコン配置欄を構成する各セルについて位置情報を持つセルデータと、各データ名欄について項目との対応を表わす項目定義データと、各データ名についてコード情報と位置情報を持つ文字列データとを有する表データを、装置画面からの入力情報に基いて作成する表データ作成工程と、
表データを表の間の階層関係を表わす形で関係付けて管理する表データ記憶工程と、
表データに基づいて表を装置画面上に表示する表表示工程と、
表上の任意の１つのセルについて、該当の表にかかわる文字列データとセルデータと項目定義データとに基づいて、同セルと特定の位置関係にあるデータ名を表上の各データ名欄から識別した上、識別したデータ名と該当する項目とからなる対の集合を関連データとして識別する工程と、
階層表を構成する任意の表である第１の表上の任意のセルである第１のセルについて特定されるデータであって、該当階層表の最上位の表の表示から始まり、第１の表の表示に至るまで、順次、表示された全ての表上において上記第１の特定指示が与えられたセルについて識別される関連データの和をとった集合に、さらに、第１の表上において第１のセルについて識別される関連データを加えた和集合である全関連データを識別する工程と、
階層表を構成する各表上に配置されたアイコンの該当情報の中から所望の情報を取り出すための指定条件である検索条件を、項目と対応付けたデータ名を定めた方法によって組み合わせることによって指定する検索条件入力工程と、
１つの階層表である第１の階層表を構成する表上に該当のアイコンが保存配置されている情報であって、保存先のセルについて識別される全関連データが、検索条件入力手段を介して指定された検索条件と別に定めた包含関係にある情報を識別する工程と、
識別した情報のアイコンを検索出力手段上に定めた方法によって出力する工程と、
からなる情報処理装置における方法をコンピュータによって実現させることを特徴とする。
【手続補正７】
【補正対象書類名】明細書
【補正対象項目名】００２４
【補正方法】変更
【補正の内容】
【００２４】
請求項６に記載の発明による制御プログラムは、請求項５において、検索条件の指定を第１の階層表とは別に設けられた第２の表を検索出力先として指定することによっておこなう方法であって、
第２の表上の任意のセルである第２のセルについて、
第１の階層表を構成する表上に該当のアイコンが保存配置されている情報であって、保存先のセルについて識別される全関連データが、第２のセルについて識別される関連データと別に定めた包含関係にある情報を識別し、識別した情報のアイコンを第２のセルに定めた方法によって出力する方法をコンピュータによって実現させることを特徴とする。
【手続補正８】
【補正対象書類名】明細書
【補正対象項目名】００２５
【補正方法】変更
【補正の内容】
【００２５】
上記の目的を達成するために、請求項７に記載の発明による記憶媒体は、情報を種別ごとに特徴付けるイメージ画像であるアイコンによって表わし、操作者による装置画面上におけるアイコンに対する各種の定められた指示により、該当する処理を情報に対しておこなうユーザ操作環境を有する情報処理装置において、
１つのアイコンを配置表示する矩形であるセルから構成されるアイコン配置欄と、アイコン配置欄の外部において情報を特徴付ける視点である項目毎に設けられ、その中に情報を特徴付けるデータ名を配置表示するデータ名欄とからなる表を階層的に関係付けた集合であって、階層最上位の表を除く集合内の各表が、集合内の別の表上の１つのセルに対する第１の特定指定によって表示される形で構成される階層表に保存配置されているアイコンの該当情報を検索出力する方法であって、
アイコン配置欄を構成する各セルについて位置情報を持つセルデータと、各データ名欄について項目との対応を表わす項目定義データと、各データ名についてコード情報と位置情報を持つ文字列データとを有する表データを、装置画面からの入力情報に基いて作成する表データ作成工程と、
表データを表の間の階層関係を表わす形で関係付けて管理する表データ記憶工程と、
表データに基づいて表を装置画面上に表示する表表示工程と、
表上の任意の１つのセルについて、該当の表にかかわる文字列データとセルデータと項目定義データとに基づいて、同セルと特定の位置関係にあるデータ名を表上の各データ名欄から識別した上、識別したデータ名と該当する項目とからなる対の集合を関連データとして識別する工程と、
階層表を構成する任意の表である第１の表上の任意のセルである第１のセルについて特定されるデータであって、該当階層表の最上位の表の表示から始まり、第１の表の表示に至るまで、順次、表示された全ての表上において上記第１の特定指示が与えられたセルについて識別される関連データの和をとった集合に、さらに、第１の表上において第１のセルについて識別される関連データを加えた和集合である全関連データを識別する工程と、
階層表を構成する各表上に配置されたアイコンの該当情報の中から所望の情報を取り出すための指定条件である検索条件を、項目と対応付けたデータ名を定めた方法によって組み合わせることによって指定する検索条件入力工程と、
１つの階層表である第１の階層表を構成する表上に該当のアイコンが保存配置されている情報であって、保存先のセルについて識別される全関連データが、検索条件入力手段を介して指定された検索条件と別に定めた包含関係にある情報を識別する工程と、
識別した情報のアイコンを検索出力手段上に定めた方法によって出力する工程と、
からなる情報処理装置における方法をコンピュータによって実現させるための制御プログラムを格納することを特徴とする。
【手続補正９】
【補正対象書類名】明細書
【補正対象項目名】００２６
【補正方法】変更
【補正の内容】
【００２６】
請求項８に記載の発明による記憶媒体は、請求項７において、検索条件の指定を、第１の階層表とは別に設けられた第２の表を検索出力先として指定することによっておこなう方法であって、
第２の表上の任意のセルである第２のセルについて、
第１の階層表を構成する表上に該当のアイコンが保存配置されている情報であって、保存先のセルについて識別される全関連データが、第２のセルについて識別される関連データと別に定めた包含関係にある情報を識別し、識別した情報のアイコンを第２のセルに定めた方法によって出力する方法をコンピュータによって実現させるための制御プログラムを格納することを特徴とする。